(57)【要約】      （修正有）【課題】首の後部に保冷剤を収めた袋体を簡単に固定することができる使い勝手の良い保冷剤用装着具を提供する。【解決手段】首の後部に沿うようにあてがわれる袋体１に保冷剤を収容可能に設け、その袋体１の両端部に伸縮性を有するベルト１０の一端を係止片３とフック１３とからなる係止手段により着脱可能とすると共にベルト１０の他端に備えた留め具１４によってズボンやスカート類の上端部に固定するようにした。また、背側に用いるベルトに、保冷剤を収容可能な第２の袋体を装着するようにした。【選択図】図１
0003118018.tif 000002
【実用新案登録請求の範囲】
【請求項１】
首の後部に沿うようにあてがわれる袋体に保冷剤を収容可能に設け、その袋体の両端部に伸縮性を有するベルトの一端を係止手段により着脱可能とすると共に当該ベルトの他端に備えた留め具によってズボンやスカート類の上端部に固定するように設けたことを特徴とする保冷剤用装着具。
【請求項２】
前記ベルトと同様の背側に用いるベルトの一端を前記袋体の後部に着脱可能に設けたことを特徴とする請求項１に記載の保冷剤用装着具。
【請求項３】
前記背側に用いるベルトに、保冷剤を収容可能な第２の袋体を装着するように設けたことを特徴とする請求項２に記載の保冷剤用装着具。
【請求項４】
前記ベルトを長さ調節可能に設けたことを特徴とする請求項１〜３の何れかに記載の保冷剤用装着具。
【考案の詳細な説明】
【技術分野】
【０００１】
本考案は、人の首の後部を保冷剤により冷やすときに使用する保冷剤用装着具に関するものである。
【背景技術】
【０００２】
従来、人の首の後部を冷やす場合には、保冷剤（又は冷却ゲルシート）を手でもって直接所望箇所に当てがう方法、保冷剤をタオルにくるんでこれを首に掛ける方法や粘着テープを用いて保冷剤を貼り付ける方法等の簡便な方法が採られている。
【０００３】
また、特開２００４−４４０５１号公報には、多角形の布の対角になる二隅に伸縮性のあるベルトの両端をそれぞれ取付け、その布で保冷剤を巻き込み、それを首の周りに巻きつけることなく首の後に固定させる襟足冷却用保冷剤入れ用具が開示されている。
【０００４】
上記公報に記載された保冷剤入れ用具は、ベルトを背中から脇の下を通して保冷剤を収めた布を胸の正面に来るように頭から被り、ついで布を頭の上を通り首の後ろに移動させることによりベルトが肩の付け根付近から脇の下を通り背中を横切るようにして取付けられる。ところが、その保冷剤入れ用具は装着するのに手間がかかり、伸縮性のあるベルトを脇の下に通すために腕の付け根部分が窮屈となり、体を動かすたびに布部分がずれる等の問題があると言える。
【特許文献１】特開２００４−４４０５１号公報
【考案の開示】
【考案が解決しようとする課題】
【０００５】
この考案の目的は、首の後部に保冷剤を収めた袋体を簡単に固定することができる使い勝手の良い保冷剤用装着具を提供することにある。
【課題を解決するための手段】
【０００６】
請求項１に記載の考案は、首の後部に沿うようにあてがわれる袋体に保冷剤を収容可能に設け、その袋体の両端部に伸縮性を有するベルトの一端を係止手段により着脱可能とすると共に当該ベルトの他端に備えた留め具によってズボンやスカート類の上端部に固定するように設けたことを特徴とする。
【０００７】
請求項２に記載の考案は、請求項１に記載の保冷剤用装着具において、前記ベルトと同様の背側に用いるベルトの一端を前記袋体の後部に着脱可能に設けたことを特徴とするものである。
【０００８】
請求項３に記載の考案は、請求項２に記載の保冷剤用装着具において、前記背側に用いるベルトに、保冷剤を収容可能な第２の袋体を装着するように設けたことを特徴とするものである。
【０００９】
請求項４に記載の考案は、請求項１〜３の何れかに記載の保冷剤用装着具において、前記ベルトを長さ調節可能に設けたことを特徴とするものである。
【考案の効果】
【００１０】
この保冷剤用装着具は、首の後部に保冷剤を収めた袋体を簡単に固定することができて大変使い勝手が良い。さらに、体を動かしても袋体がずれにくいので、快適に使用することができる。また、袋体をベルトから取り外すことができるので、袋体の手入れや洗うときなどに便利である。
【考案を実施するための最良の形態】
【００１１】
以下に、本考案の最良の形態例を図面に基づいて説明する。図１は保冷剤用装着具の正面図、図２は袋体の斜視図、図３は直線形のベルトの正面図、図４は各種の係止片（イ）〜（ハ）の説明図、図５は係止穴が設けられたベルトの説明図、図６は保冷剤用装着具の使用状態を示す説明図、図７は保冷剤用装着具の他の使用状態を示す説明図である。
【００１２】
図１において、本考案の保冷剤用装着具ｗは、保冷剤又は冷却ゲルシートを収容するための袋体１と、当該袋体１を身体に装着するためのベルト１０から構成されている。
【００１３】
袋体１は、布を裁断・縫製して首の後部に沿うようにほぼ三日月形態に作成され、後側１ｂにファスナー２を設けている。３は袋体１の前側１ａの両端部と、後側１ｂの中央二箇所に取付けられた係止手段の構成要素としての係止片である。この係止片３は、図４（イ）に示すように扁平なＵ字形とされている。
【００１４】
ベルト１０は、Ｙ字形で二又ベルト部１１，１１の先端に前記係止片３に係合させる係止手段の構成要素たるフック１３，１３が夫々設けられていて、二又ベルト部１１，１１の合流する連結箇所１０ａに一本のベルト部１２を連結している。そのベルト部１２については、先端にズボンやスカート類の上端部に固定するための公知のクリップ構造の留め具１４を設けると共に長さを調節することができるように設けられている。また、ベルト部１２及び／又は二又ベルト部１１，１１は、伸縮性を有する素材により設けられている。
【００１５】
ベルトについては、上記ベルト１０に限らず、図３に示す直線形のベルト２０を用いることもできる。このベルト２０は、伸縮性を有する素材を用いて長さ調節可能とされ、ベルト部２１の一端にフック２３、その他端に留め具２４を設けている。
【００１６】
なお、係止片については、上記係止片３に限らず、図４（ロ）に示す球形状の係止片３ａ又は（ハ）の傘形の係止片３ｂを用いることもできる。ただし、これらの係止片３ａ，３ｂを用いる場合には、図５に示す係止穴３１が設けられたベルト３０を用いる。
【００１７】
また、首の後部に加えて背中の一部を冷やすことを要する場合には、背側に用いるベルト２０に、保冷剤を収容可能な第２の袋体４０を装着するように設ける（図７）。その袋体４０の一方の面には、ベルト２０に通すための環状挿入片４１が設けられている。
【００１８】
つぎに、かかる構成になる本考案の保冷剤用装着具ｗの使用方法について説明する。
まず、冷えた状態の保冷剤５０を保冷剤用装着具ｗの袋体１に収容してから、ベルト１０のフック１３，１３を袋体１の両端部の係止片３，３に係合させる。ついで、袋体１とベルト１０の二又ベルト部１１，１１とにより生ずる環状部分を頭から被り、袋体１を首の後部にあてがう。そして、ベルト１０の留め具１４によってズボンａ類の上端部にベルト部１２を固定する。これにより、保冷剤用装着具ｗは身体に装着される（図６）。
【００１９】
また、上記ベルト２０を用いる場合には、上述したベルト１０を用いる手順に準じて行なえばよい。なお、この場合には、図７に示すように、背側に用いるベルト２０に冷えた状態の小型の保冷剤５５を収めた第２の袋体４０を装着することができる。
【００２０】
以上に述べた通り、この保冷剤用装着具は、首の後部に保冷剤を収めた袋体を簡単に固定することができて大変使い勝手が良い。さらに、体を動かしても袋体がずれにくいので、快適に使用することができる。
【図面の簡単な説明】
【００２１】
【図１】保冷剤用装着具の正面図
【図２】袋体の斜視図
【図３】直線形のベルトの正面図
【図４】各種の係止片の説明図
【図５】係止穴が設けられたベルトの説明図
【図６】保冷剤用装着具の使用状態を示す説明図
【図７】保冷剤用装着具の他の使用状態を示す説明図
【符号の説明】
【００２２】
ｗ・・・保冷剤用装着具
１・・・袋体
３・・・係止片（係止手段）
１０，２０・・・ベルト
１３，２３・・・フック（係止手段）
１４，２４・・・留め具
４０・・・第２の袋体
５０，５５・・・保冷剤
【図１】
0003118018.tif 000003
【図２】
0003118018.tif 000004
【図３】
0003118018.tif 000005
【図４】
0003118018.tif 000006
【図５】
0003118018.tif 000007
【図６】
0003118018.tif 000008
【図７】
0003118018.tif 000009